(57)【要約】【課題】  玩具本体に適合する始動キーでしか駆動できないようにした駆動玩具を提供する。【解決手段】  駆動玩具１は、玩具本体２と、玩具本体２に設けられた駆動モータ８と、駆動モータ８によって駆動させられる駆動部と、駆動モータ８の駆動・停止を制御するスイッチ３０と、スイッチ３０をオン又はオフにする始動キー（起動部材）９０とからなる。玩具本体２には、前記始動キー（起動部材）９０を嵌合する嵌合部８２が形成されている。前記スイッチ３０は、嵌合部８２に嵌合される前記始動キー（起動部材）９０によってオン又はオフされるようになっている。【選択図】        図４
2005278704.tif 000002
【特許請求の範囲】
【請求項１】
玩具本体と、
玩具本体に設けられた駆動モータと、
駆動モータによって駆動させられる駆動部と、
駆動モータの駆動・停止を制御するスイッチと、
スイッチをオン又はオフにする始動キーとからなり、
玩具本体には、前記始動キーをスイッチまで案内する案内部が形成され、
前記スイッチは、案内部に案内された前記始動キーによってオン又はオフされるようになっていることを特徴とする駆動玩具。
【請求項２】
案内部は、案内部に適合した形状の始動キーを案内するように形成されていることを特徴とする請求項１記載の駆動玩具。
【請求項３】
玩具本体と、
玩具本体に設けられた駆動モータと、
駆動モータによって駆動させられる駆動部と、
駆動モータの駆動・停止を制御するスイッチと、
スイッチをオン又はオフにする始動キーとからなり、
玩具本体には、前記始動キーを嵌合する嵌合部が形成され、
前記スイッチは、嵌合部に嵌合される前記始動キーによってオン又はオフされるようになっていることを特徴とする駆動玩具。
【請求項４】
玩具本体と、
玩具本体に設けられた駆動モータと、
駆動モータによって駆動させられる駆動部と、
駆動モータの駆動・停止を制御するスイッチと、
スイッチをオン又はオフにする始動キーとからなり、
玩具本体には、前記スイッチ側に向かって摺動可能なスライド部材が設けられ、
当該スライド部材には、前記始動キーを嵌合する嵌合部が形成され、
前記スイッチは、前記スライド部材の嵌合部に嵌合され、スイッチ側に向かって摺動させられた前記始動キーによってオン又はオフされるようになっていることを特徴とする駆動玩具。
【請求項５】
玩具本体と、
玩具本体に設けられた駆動モータと、
駆動モータによって駆動させられる駆動部と、
駆動モータの駆動・停止を制御するスイッチと、
スイッチをオン又はオフにする始動キーとからなり、
玩具本体には、前記スイッチ側に向かって摺動可能なスライド部材が設けられ、
当該スライド部材には、前記始動キーを嵌合する嵌合部が形成され、
前記スイッチは、スイッチ側に向かって摺動させられた前記スライド部材の嵌合部に嵌合される前記始動キーによってオン又はオフされるようになっていることを特徴とする駆動玩具。
【請求項６】
玩具本体には、
スライド部材をスイッチ側とは反対方向に付勢する第１の弾性部材と、
前記第１の弾性部材に抗してスライド部材がスイッチ側に向かって摺動させられた状態の時のスライド部材を係合する係合手段とが設けられていることを特徴とする請求項４又は５記載の駆動玩具。
【請求項７】
玩具本体には、
前記係合手段を反係合方向に付勢する第２の弾性部材と、
前記第２の弾性部材に抗して係合手段がスライド部材を係合している状態の時の係合手段を係止する係止手段とが設けられていることを特徴とする請求項６記載の駆動玩具。
【請求項８】
係止手段は、第３の弾性部材によって係止方向に付勢され、
前記係合手段を係止する係止部と、
玩具本体の一側から突出する突出部を有することを特徴とする請求項７記載の駆動玩具。
【請求項９】
駆動部は、
玩具本体の両側に設けられた駆動輪と、
駆動輪を両側に取り付けた駆動軸とからなることを特徴とする請求項１乃至８のいずれか１項に記載の駆動玩具。
【請求項１０】
玩具本体と、
前記玩具本体に設けられた駆動モータと、
前記玩具本体に設けられ、前記駆動モータによって駆動される駆動部と、
前記玩具本体に着脱可能な起動部材と、
前記駆動部の駆動をオン又はオフする駆動スイッチであって、前記起動部材が前記玩具本体に装着されることによりオンになり、前記起動部材が前記玩具本体から離脱することによりオフになる前記駆動スイッチと、
前記起動部材を前記玩具本体に装着されている状態で係止する係止部材と、
前記玩具本体に加えられる外力に応じて、前記係止部材による前記起動部材の係止を解除する解除部材と、
前記係止部材による係止が解除されたとき、前記起動部材を前記玩具本体から離脱せしめる方向に射出する射出手段と、
からなることを特徴とする駆動玩具。
【請求項１１】
前記射出手段は、前記起動部材を受容し前記起動部材とともに前記玩具本体に対して摺動するスライド部材と、前記スライド部材に受容された前記起動部材を前記玩具本体から離脱せしめる方向に前記スライド部材を付勢する弾性部材と、
からなり、
前記駆動スイッチは、前記スライド部材が前記起動部材とともに前記弾性部材の弾性に抗して前記玩具本体に対して所定位置まで摺動することによりオンになり、
前記係止部材は前記スライド部材を前記所定位置にて係止する
ことを特徴とする請求項１０記載の駆動玩具。
【請求項１２】
請求項１０又は１１記載の駆動玩具の遊戯方法であって、
第１の駆動玩具と第２の駆動玩具を用意する段階と、
前記遊戯面と当該遊戯面を囲む周壁と前記第１および第２の駆動玩具を個別に前記遊戯面に移動させるための傾斜路を有する遊戯盤を用意する段階と、
前記起動部材により前記駆動部が駆動している前記第１および第２の駆動玩具を各々前記傾斜路より前記遊戯面に移動させる段階と、
前記第１および第２の駆動玩具を前記遊戯面上で衝突せしめ、各々の前記解除部材に互いに外力を加える段階と、
前記解除部材に外力が加えられたことにより、前記係止部材の係止が解除され、前記起動部材が前記射出手段により射出されて前記駆動スイッチがオフになることにより、前記第１および第２の駆動玩具のいずれか一方が停止する段階と、
からなることを特徴とする請求項１０又は１１記載の駆動玩具の遊戯方法。
【発明の詳細な説明】
【技術分野】
【０００１】
本願発明は、玩具本体に設けた嵌合部に適合する始動キーによって駆動される駆動玩具に関する。
【背景技術】
【０００２】
従来の走行玩具、歩行玩具等の駆動玩具は、玩具本体内に駆動モータと電池等の電源等の電気回路が組み込まれている。また、玩具本体には、駆動モータによって駆動させられる歯車機構、駆動輪、駆動脚等の駆動部が設けられている。さらに玩具本体には、駆動モータの駆動・停止を制御するスイッチが取り付けられている。従来の駆動玩具は、玩具本体に設けられたスイッチを指先でオンすると、駆動輪又は駆動脚等の駆動部が駆動して走行又は歩行を行い、スイッチを指先でオフにすると、走行又は歩行を停止する。
【発明の開示】
【発明が解決しようとする課題】
【０００３】
従来の駆動玩具は、上記したように、玩具本体に設けられたスイッチを指先でオンすると、走行又は歩行を行い、スイッチを指先でオフにすると、走行又は歩行を停止するので、誰でもが簡単に遊ぶことができるが、他の者に使用させないようにすることができないという問題点があった。
【０００４】
本願発明は、上記問題点に鑑み案出したものであって、装置本体に適合にする始動キーによってスイッチをオン又はオフできるようにし、玩具本体に適合しない始動キーではスイッチをオン又はオフできないようにし、玩具本体に適合する始動キーを持たない者に使用させないようにすることができる駆動玩具を提供することを第１の目的とする。さらに、本願発明は、駆動スイッチをオン又はオフする起動部材を、玩具本体に加えられる外力に応じて、離脱方向に射出せしめられる駆動玩具を提供することを第２の目的とする。さらにまた、本願発明は、上記駆動玩具を利用した駆動玩具の遊戯方法を提供することを第３の目的とする。
【課題を解決するための手段】
【０００５】
本願請求項１に係る駆動玩具は、上記第１の目的を達成するため、玩具本体と、玩具本体に設けられた駆動モータと、駆動モータによって駆動させられる駆動部と、駆動モータの駆動・停止を制御するスイッチと、スイッチをオン又はオフにする始動キーとからなり、玩具本体には、前記始動キーをスイッチまで案内する案内部が形成され、前記スイッチは、案内部に案内された前記始動キーによってオン又はオフされるようになっている。
【０００６】
本願請求項２に係る駆動玩具は、上記第１の目的を達成するため、案内部は、案内部に適合した形状の始動キーを案内するように形成されている。
【０００７】
本願請求項３に係る駆動玩具は、上記第１の目的を達成するため、玩具本体と、玩具本体に設けられた駆動モータと、駆動モータによって駆動させられる駆動部と、駆動モータの駆動・停止を制御するスイッチと、スイッチをオン又はオフにする始動キーとからなり、玩具本体には、前記始動キーを嵌合する嵌合部が形成され、前記スイッチは、嵌合部に嵌合される前記始動キーによってオン又はオフされるようになっている。
【０００８】
本願請求項４に係る駆動玩具は、上記第１の目的を達成するため、玩具本体と、玩具本体に設けられた駆動モータと、駆動モータによって駆動させられる駆動部と、駆動モータの駆動・停止を制御するスイッチと、スイッチをオン又はオフにする始動キーとからなり
、玩具本体には、前記スイッチ側に向かって摺動可能なスライド部材が設けられ、当該スライド部材には、前記始動キーを嵌合する嵌合部が形成され、前記スイッチは、前記スライド部材の嵌合部に嵌合され、スイッチ側に向かって摺動させられた前記始動キーによってオン又はオフされるようになっている。
【０００９】
本願請求項５に係る駆動玩具は、上記第１の目的を達成するため、玩具本体と、玩具本体に設けられた駆動モータと、駆動モータによって駆動させられる駆動部と、駆動モータの駆動・停止を制御するスイッチと、スイッチをオン又はオフにする始動キーとからなり、玩具本体には、前記スイッチ側に向かって摺動可能なスライド部材が設けられ、当該スライド部材には、前記始動キーを嵌合する嵌合部が形成され、前記スイッチは、スイッチ側に向かって摺動させられた前記スライド部材の嵌合部に嵌合される前記始動キーによってオン又はオフされるようになっている。
【００１０】
本願請求項６に係る駆動玩具は、上記第１の目的を達成するため、玩具本体には、スライド部材をスイッチ側とは反対方向に付勢する第１の弾性部材と、前記第１の弾性部材に抗してスライド部材がスイッチ側に向かって摺動させられ、前記始動キーが前記スイッチをオンしている状態の時のスライド部材を係合する係合手段とが設けられている。
【００１１】
本願請求項７に係る駆動玩具は、上記第１の目的を達成するため、玩具本体には、前記係合手段を反係合方向に付勢する第２の弾性部材と、前記第２の弾性部材に抗して係合手段がスライド部材を係合している状態の時の係合手段を係止する係止手段とが設けられている。
【００１２】
本願請求項８に係る駆動玩具は、上記第１の目的を達成するため、係止手段は、第３の弾性部材によって係止方向に付勢され、前記係合手段を係止する係止部と、玩具本体の一側から突出する突出部を有する。
【００１３】
本願請求項９に係る駆動玩具は、上記第１の目的を達成するため、駆動部は、玩具本体の両側に設けられた駆動輪と、駆動輪を両側に取り付けた駆動軸とからなる。
【００１４】
本願請求項１０に係る駆動玩具は、上記第２の目的を達成するため、玩具本体と、前記玩具本体に設けられた駆動モータと、前記玩具本体に設けられ、前記駆動モータによって駆動される駆動部と、前記玩具本体に着脱可能な起動部材と、前記駆動部の駆動をオン又はオフする駆動スイッチであって、前記起動部材が前記玩具本体に装着されることによりオンになり、前記起動部材が前記玩具本体から離脱することによりオフになる前記駆動スイッチと、前記起動部材を前記玩具本体に装着されている状態で係止する係止部材と、前記玩具本体に加えられる外力に応じて、前記係止部材による前記起動部材の係止を解除する解除部材と、前記係止部材による係止が解除されたとき、前記起動部材を前記玩具本体から離脱せしめる方向に射出する射出手段とからなる。
【００１５】
本願請求項１１に係る駆動玩具は、上記第２の目的を達成するため、前記射出手段は、前記起動部材を受容し前記起動部材とともに前記玩具本体に対して摺動するスライド部材と、前記スライド部材に受容された前記起動部材を前記玩具本体から離脱せしめる方向に前記スライド部材を付勢する弾性部材とからなり、前記駆動スイッチは、前記スライド部材が前記起動部材とともに前記弾性部材の弾性に抗して前記玩具本体に対して所定位置まで摺動することによりオンになり、前記係止部材は前記スライド部材を前記所定位置にて係止する。
【００１６】
本願請求項１２に係る駆動玩具の遊戯方法は、上記第３の目的を達成するため、上記駆動玩具の遊戯方法であって、第１の駆動玩具と第２の駆動玩具を用意する段階と、前記遊
戯面と当該遊戯面を囲む周壁と前記第１および第２の駆動玩具を個別に前記遊戯面に移動させるための傾斜路を有する遊戯盤を用意する段階と、前記起動部材により前記駆動部が駆動している前記第１および第２の駆動玩具を各々前記傾斜路より前記遊戯面に移動させる段階と、前記第１および第２の駆動玩具を前記遊戯面上で衝突せしめ、各々の前記解除部材に互いに外力を加える段階と、前記解除部材に外力が加えられたことにより、前記係止部材の係止が解除され、前記起動部材が前記射出手段により射出されて前記駆動スイッチがオフになることにより、前記第１および第２の駆動玩具のいずれか一方が停止する段階とからなる。
【発明の効果】
【００１７】
本願発明に係る駆動玩具は、玩具本体に形成された案内部に案内される始動キーによって、駆動モータの駆動・停止を制御するスイッチがオン・オフされるので、始動キーがなければ駆動部を駆動することができず、始動キーを持たない者に使用させないようにすることができるという効果がある。本願発明に係る駆動玩具は、特に案内部が、案内部に適合した形状の始動キーを案内するように形成されていると、案内部に適合しない形状の始動キーではスイッチをオン・オフすることができず、勝手に動かされることを防止することができるという効果がある。
【００１８】
又、本願発明に係る駆動玩具は、玩具本体に形成された嵌合部に嵌合される始動キーによって、駆動モータの駆動・停止を制御するスイッチがオン・オフされるので、嵌合部に嵌合可能な始動キーがなければ駆動部を駆動することができず、嵌合部に嵌合できない始動キーではスイッチをオン・オフすることができず、勝手に動かされることを防止することができるという効果がある。
【００１９】
本願発明に係る駆動玩具は、一方の駆動玩具が他方の駆動玩具の突出部に当接すると、他方の駆動玩具の係止手段が第３の弾性部材の弾性により係止解除方向に移動して係合手段の係止を解除し、係合手段が第２の弾性部材の弾性により係合解除方向に移動してスライド部材の係合を解除し、スライド部材が第１の弾性部材の弾性より反スイッチ側に移動するので、スライド部材に嵌合している始動キーがスイッチから強制的に離され、他方の駆動玩具を停止させることができる。このように駆動玩具は、少なくとも２つで戦闘させることができるという効果がある。
【００２０】
本願発明に係る駆動玩具は、駆動部の駆動中、玩具本体に外力が加えられると、解除部材が係止部材による起動部材の係止を解除し、射出手段が起動部材を玩具本体から離脱せしめる方向に射出し、駆動スイッチをオフにして、駆動部の駆動を停止させることができるという効果がある。
【００２１】
本願発明に係る駆動玩具の遊戯方法は、上記第１の駆動玩具と第２の駆動玩具を、それぞれ異なる傾斜路から遊戯盤の遊戯面に移動させ、第１および第２の駆動玩具を遊戯面上で衝突せしめ、各々の解除部材に互いに外力を加えさせ、解除部材に外力が加えられた一方の駆動玩具の係止部材の係止が解除され、起動部材が射出手段により射出されて駆動スイッチがオフになり、一方の駆動玩具の駆動を停止させる遊戯ができるという効果がある。
【発明を実施するための最良の形態】
【００２２】
本願発明の実施の形態を図１乃至図６に基づいて説明する。図１は、本願発明に係る駆動玩具の一つの実施の形態を示す全体斜視図である。図２は、図１の駆動玩具の動きを説明する斜視図である。図３は、図１の駆動玩具のカバー部材を省略した斜視図である。図４は、玩具本体に始動キーを差し込んだ状態を示す斜視図である。図５は、駆動玩具の要部分解斜視図である。図６は、図１の駆動玩具の使用状態を説明する斜視図である。
【００２３】
駆動玩具１は、玩具本体２と、玩具本体２に設けられた駆動モータ８と、駆動モータ８によって駆動させられる駆動部６，７と、駆動モータ８の駆動・停止を制御するスイッチ３０と、スイッチ３０をオン又はオフにする始動キー９０とからなる。玩具本体２には、前記始動キー９０をスイッチ３０まで案内する案内部４８が形成されている。前記スイッチ３０は、案内部４８に案内された前記始動キー９０によってオン又はオフされるようになっている。
【００２４】
駆動玩具１の案内部４８は、案内部４８に適合した形状の始動キー９０を案内するように形成されている。
【００２５】
駆動玩具１は、玩具本体２と、玩具本体２に設けられた駆動モータ８と、駆動モータ８によって駆動させられる駆動部６，７と、駆動モータ８の駆動・停止を制御するスイッチ３０と、スイッチ３０をオン又はオフにする始動キー９０とからなる。玩具本体２には、前記始動キー９０を嵌合する嵌合部８２が形成されている。前記スイッチ３０は、嵌合部８２に嵌合される前記始動キー９０によってオン又はオフされるようになっている。
【００２６】
駆動玩具１は、玩具本体２と、玩具本体２に設けられた駆動モータ８と、駆動モータ８によって駆動させられる駆動部６，７と、駆動モータ８の駆動・停止を制御するスイッチ３０と、スイッチ３０をオン又はオフにする始動キー９０とからなる。玩具本体２には、前記スイッチ３０側に向かって摺動可能なスライド部材６０が設けられ、当該スライド部材６０には、前記始動キー９０を嵌合する嵌合部８２が形成されている。前記スイッチ３０は、前記スライド部材６０の嵌合部８２に嵌合され、スイッチ３０側に向かって摺動させられた前記始動キー９０によってオン又はオフされるようになっている。
【００２７】
駆動玩具１は、玩具本体２と、玩具本体２に設けられた駆動モータ８と、駆動モータ８によって駆動させられる駆動部６，７と、駆動モータ８の駆動・停止を制御するスイッチ３０と、スイッチ３０をオン又はオフにする始動キー９０とからなる。玩具本体２には、前記スイッチ３０側に向かって摺動可能なスライド部材６０が設けられ、当該スライド部材６０には、前記始動キー９０を嵌合する嵌合部８２が形成されている。前記スイッチ３０は、スイッチ３０側に向かって摺動させられた前記スライド部材６０の嵌合部８２に嵌合される前記始動キー９０によってオン又はオフされるようになっている。
【００２８】
駆動玩具１の玩具本体２には、スライド部材６０をスイッチ３０側とは反対方向に付勢する第１の弾性部材８５と、前記第１の弾性部材８５に抗してスライド部材６０がスイッチ３０側に向かって摺動させられた状態の時のスライド部材６０を係合する係合手段１００とが設けられている。
【００２９】
駆動玩具１の玩具本体２には、前記係合手段１００を反係合方向に付勢する第２の弾性部材１０３と、前記第２の弾性部材１０３に抗して係合手段１００がスライド部材６０を係合している状態の時の係合手段１００を係止する係止手段１１０とが設けられている。
【００３０】
駆動玩具１の係止手段１１０は、第３の弾性部材１２１によって係止方向に付勢され、前記係合手段１００を係止する係止部１１１と、玩具本体２の一側から突出する突出部１１５を有する。
【００３１】
駆動玩具１の駆動部は、玩具本体２の両側に設けられた駆動輪６，７と、駆動輪６，７を両側に取り付けた駆動軸６ａ，７ａとからなる。
【００３２】
また、駆動玩具１は、玩具本体２と、前記玩具本体２に設けられた駆動モータ８と、前
記玩具本体２に設けられ、前記駆動モータ８によって駆動される駆動部６，７と、前記玩具本体２に着脱可能な起動部材９０と、前記駆動部６，７の駆動をオン又はオフする駆動スイッチ３０であって、前記起動部材９０が前記玩具本体２に装着されることによりオンになり、前記起動部材９０が前記玩具本体２から離脱することによりオフになる前記駆動スイッチ３０と、前記起動部材９０を前記玩具本体２に装着されている状態で係止する係止部材１００と、前記玩具本体２に加えられる外力に応じて、前記係止部材１００による前記起動部材９０の係止を解除する解除部材１１０と、前記係止部材１００による係止が解除されたとき、前記起動部材９０を前記玩具本体２から離脱せしめる方向に射出する射出手段６０，８５とからなる。
【００３３】
前記射出手段は、前記起動部材９０を受容し前記起動部材９０とともに前記玩具本体２に対して摺動するスライド部材６０と、前記スライド部材６０に受容された前記起動部材９０を前記玩具本体２から離脱せしめる方向に前記スライド部材６０を付勢する弾性部材８５とからなる。前記駆動スイッチ３０は、前記スライド部材６０が前記起動部材９０とともに前記弾性部材８５の弾性に抗して前記玩具本体２に対して所定位置まで摺動することによりオンになり、前記係止部材１００は前記スライド部材６０を前記所定位置にて係止する。
【００３４】
駆動玩具１の遊戯方法は、第１の駆動玩具１ａと第２の駆動玩具１ｂを用意する段階と、前記遊戯面１３１と当該遊戯面１３１を囲む周壁１３２と前記第１および第２の駆動玩具１ａ、１ｂを個別に前記遊戯面１３１に移動させるための傾斜路１３３，１３３を有する遊戯盤１３０を用意する段階と、前記起動部材９０により前記駆動部６，７が駆動している前記第１および第２の駆動玩具１ａ，１ｂを各々前記傾斜路１３３，１３３より前記遊戯面１３１に移動させる段階と、前記第１および第２の駆動玩具１ａ，１ｂを前記遊戯面１３１上で衝突せしめ、各々の前記解除部材１１０，１１０に互いに外力を加える段階と、前記解除部材１１０，１１０に外力が加えられたことにより、前記係止部材１００の係止が解除され、前記起動部材９０が前記射出手段６０，８５により射出されて前記駆動スイッチ３０がオフになることにより、前記第１および第２の駆動玩具１ａ，１ｂのいずれか一方が停止する段階とからなる。
【００３５】
さらに、駆動玩具１について詳細に説明する。図１，２に示すように、駆動玩具１は、走行玩具形状に形成され、玩具本体２を有する。玩具本体２は、下部基枠３と上部基枠５とからなる。下部基枠３の内部には、駆動モータ８と、駆動モータ８の動力を前駆動軸６ａ及び後駆動軸７ａに伝達する歯車機構９とが設けられている。前駆動軸６ａの両側には、下部基枠３の前部に位置する一対の前輪（駆動輪）６，６が固定して取り付けられている。後駆動軸７ａの両側には、下部基枠３の後部に位置する一対の後輪（駆動輪）７，７が固定して取り付けられている。
【００３６】
図３に示すように、玩具本体２は、下部基枠３の上部に上部基枠５が固定して取り付けられている。図５に示すように、上部基枠５は、電池ボックス形状の収納箱１０と、収納箱１０の上部に設けられた基板４０を有する。収納箱１０は、底板１１と、底板１１の前部に設けられた前板１２と、底板１１の後部に設けられ、前板１２より若干高さが低い後板１３と、底板１１の右部に設けられ、前板１２と同じ高さの右板１５と、底板１１の左部に設けられ、前板１２と同じ高さの左板１６とからなる。右板１５は、上縁に、内側に折曲された右折曲縁１７が形成されている。左板１６は、上縁に、内側に折曲された左折曲縁１９が形成されている。なお、後板１３の上縁１３ａと右折曲縁１７、左折曲縁１９の各々の底面１７ａ，１９ａとの間は基板４０を挿通可能な程度の隙間ができるように形成されている。
【００３７】
右折曲縁１７の前部には切り欠き１７ｂが設けられ、右板１５の上縁前部には、当該切
り欠き１７ｂから連なる逆台形状の切り欠き２０が形成されている。また、左折曲縁１９の前部には切り欠き１９ｂが設けられ、左板１６の上縁前部にも、当該切り欠き１９ｂから連なる逆台形状の切り欠き２１が形成されている。収納箱１０は、内部を左右に仕切る後板１３と同じ高さの仕切板２２が固定して設けられ、仕切板２２によって、電池を収納する右収納室２３と左収納室２５が形成されている。仕切板２２の前部上縁には、突片２６が形成されており、突片２６の上縁２６ａは前板１２と同じ高さとなっている。また、突片２６の前部には、固定接触端子３２が設けられ、突片２６の後縁には、右収納室２３の方向へ突出したＬ字状の可撓接触端子３１が形成されており、固定接触端子３２と可撓接触端子３１によってスイッチ３０が構成されている。
【００３８】
当該スイッチ３０は、右収納室２３及び左収納室２５に収納される電池と、前記駆動モータ８に電気的に接続され、電気回路を形成している。収納箱１０の前板１２の上部には、一対の係止孔３５，３５が形成されている。収納箱１０の後板１３の上部には、係止爪３６が形成されている。
【００３９】
基板４０は、前端に係止突起４１，４１が形成され、後端に係止穴４２が形成された突起４３が設けられている。基板４０は、後板１３の上縁１３ａと右折曲縁１７、左折曲縁１９の各々の底面１７ａ，１９ａとの間の隙間から上部基枠５に挿通され、その底面が仕切板２２の上縁に摺接しつつ前記係止突起４１，４１が前板１２に形成された一対の係止孔３５，３５に係止される位置まで移動せしめられた上で、さらに、前記係止穴４２が後板１３に形成された係止爪３６に係止されることにより、収納箱１０に着脱可能に取り付けられる。基板４０の前部には、当該基板４０前縁から後方に延びる前部切り欠き４０ａが形成されており、基板４０を収納箱１０に取り付けたとき、突片２６および前記スイッチ３０が基板４０上方へ突出可能となっている。また、前部切り欠き４０ａには、前記突片２６および前記スイッチ３０を覆う断面略コ字状のカバー部材４５が形成されている。
【００４０】
カバー部材４５は、前部切り欠き４０ａの左側縁および右側縁から各々略直角に立ち上げられた左側板４６及び右側板４７と、左側板４６の上端と右側板４７の上端に設けられたガイド板４９とからなる。右側板４７は、左側板４６より短く形成されている。ガイド板４９は、後方に向かって幅が狭くなる略台形状に形成されている。
【００４１】
基板４０の左端には、基板４０から略直角に立ち上げられた左側壁５１が形成されている。左側壁５１は、上端に左側壁５１の上縁全体から左方に延びる左ガイド壁５２が形成され、後端に基板４０から略直角に立ち上げられ左側壁５１と同じ高さの左ストッパー片５３が設けられている。左ガイド壁５２の略中央部には、左ガイド壁５２の左縁から右方へ延びる左切り欠き５４が形成されている。基板４０の右端には、基板４０から略直角に立ち上げられた右側壁５５が形成されている。右側壁５５は、上端に右側壁５５の上縁全体から右方に延びる右ガイド壁５６が形成され、後端に基板４０から略直角に立ち上げられ右側壁５５と同じ高さの右ストッパー片５７が設けられている。右ガイド壁５６の略中央部には、右ガイド壁５６の右縁から左方に延びる右切り欠き５８が形成されている。なお、左側壁５１および右側壁５５の高さは収納箱１０の後板１３の上縁１３ａと右折曲縁１７、左折曲縁１９の各々の底面１７ａ，１９ａとの間の隙間と略同じ高さに形成されている。基板４０の前部左側には、バネ受け突起５９が突設されている。基板４０には、左側壁５１と右側壁５５の内面によって、始動キー（起動部材）９０を前後方向に案内する案内部４８が形成されている。
【００４２】
基板４０には、スライド部材６０が前後方向に摺動自在に設けられている。スライド部材６０は、摺動板６１を有する。摺動板６１の左端下部には、摺動板６１と略直角となる左側壁６２が形成されている。左側壁６２の下端には、左摺動部材６３が設けられている。左摺動部材６３は、略水平の第１の案内板６５と、第１の案内板６５の左端下部に略直
角に形成された第２の案内板６６と、第２の案内板６６の下端前部に形成され右方に略水平に延びる前案内突起６７と、第２の案内板６６の下端後部に形成され右方に略水平に延びる後案内突起６８とからなる。又、左摺動部材６３は、略中間部に係合凹部６９が形成されている。
【００４３】
摺動板６１の右端下部には、摺動板６１と略直角となる右側壁７２が形成されている。右側壁７２の下端には、右摺動部材７３が設けられている。右摺動部材７３は、略水平の第１の案内板７５と、第１の案内板７５の右端下部に略直角に形成された第２の案内板７６と、第２の案内板７６の下端前部に形成され左方に略水平に延びる前案内突起７７と、第２の案内板７６の下端後部に形成され左方に略水平に延びる後案内突起７８とからなる。又、右摺動部材７３は、略中間部に係合凹部７９が形成されている。スライド部材６０は、第１の案内板６５、７５の底面と前案内突起６７、７７および後案内突起６８、７８の上面との間に、基板４０の左ガイド壁５２および右ガイド壁５６を挿通可能となっていることにより、基板４０に対して前後に摺動可能となっている。また、摺動板６１の前部には、前記カバー部材４５のガイド板４９と嵌合する略台形状の嵌合凹部８１が摺動板６１の前縁から後方に延びるように形成されている。又、摺動板６１の後部には、後記始動キー（起動部材）９０の嵌合凸部９２を嵌合する嵌合凹部８２が摺動板６１の後縁から前方に延びるように形成されている。摺動板６１の下面には、バネを受ける略Ｌ字状のバネ受け部材８３が設けられている。
【００４４】
スライド部材６０は、後案内突起６８を左ガイド壁５２の左切り欠き５４から挿通し、後案内突起７８を右ガイド壁５６の右切り欠き５８から挿通し、後方に摺動させることにより、左摺動部材６３の第１の案内板６５の底面が左ガイド縁５２の上面に摺接し、前案内突起６７及び後案内突起６８の上面が左ガイド縁５２の下面に摺接し、さらに、右摺動部材７３の第１の案内板７５の底面が右ガイド縁５６の上面に摺接し、前案内突起７７及び後案内突起７８の上面が右ガイド縁５６の下面に摺接して、基板４０に摺動自在に取り付けられている。また、基板４０のバネ受け突起５９とスライド部材６０のバネ受け部材８３の間には、コイル状のバネ（第１の弾性部材）８５が介装されている。スライド部材６０は、このコイル状のバネ（第１の弾性部材）８５によって後方に付勢され、左摺動部材６３の後案内突起６８が基板４０の左ストッパー片５３に当接し、右摺動部材７３の後案内突起７８が基板４０の右ストッパー片５７に当接している。これに対し、スライド部材６０をコイル状のバネ（第１の弾性部材）８５の弾性力に抗して基板４０に対して、嵌合凹部８１にカバー部材４５が嵌合する程度まで前方に摺動させると、スライド部材６０の係合凹部６９、７９と収納箱１０の切り欠き２１、２０が一致するようになっている。
【００４５】
始動キー（起動部材）９０は、長板状に形成されている。始動キー（起動部材）９０の前部には、前記スイッチ３０の可撓接触端子３１を押圧して、可撓接触端子３１を固定接触端子３２に接触させる押圧突起９１が形成されている。また、始動キー（起動部材）９０の後部上面には、スライド部材６０の嵌合凹部８２に嵌合可能な嵌合凸部９２が設けられている。始動キー（起動部材）９０は、基板４０の案内部４８に挿入でき、挿入すると、左端縁９３が基板４０の左側壁５１に案内され、右端縁９５が右側壁５５に案内されて、左右方向が規制され、前後方向のみ摺動可能となっている。
【００４６】
図１，２に示すように、玩具本体２には、カバー部材（係合手段、係止部材）１００が設けられている。カバー部材（係合手段、係止部材）１００は、後部に連結アーム１０１，１０１が設けられている。連結アーム１０１，１０１は、玩具本体２の下部基枠３両側に設けられた支軸１０２，１０２に回動自在に連結されている。このことにより、カバー部材（係合手段、係止部材）１００は後部を中心に下部基枠３から離間する方向へ回動可能となっている。また、支軸１０２，１０２には、バネ（第２の弾性部材）１０３が巻装されている。カバー部材（係合手段、係止部材）１００は、バネ（第２の弾性部材）１０
３によって下部基枠３から離間する方向（時計回転方向）に付勢されている。
【００４７】
また、カバー部材（係合手段、係止部材）１００の前部両側には、カバー部材１００から下方に延びる係合爪１０５，１０６が設けられている。右側の係合爪１０６は、カバー部材（係合手段、係止部材）１００が閉じられている時、上部基枠５の右板１５に形成された切り欠き２０に挿入される。すなわち、バネ（第１の弾性部材）８５の弾性に抗してスライド部材６０が前記嵌合凹部８１に基板４０のカバー部材４５が嵌合する程度まで前方に摺動させられたとき、スライド部材６０の係合凹部７９は前記切り欠き２０と一致しているので、係合爪１０６は係合凹部７９とも係合することになり、スライド部材６０を後方に付勢された状態で保持する。同様に左側の係合爪１０５は、カバー部材（係合手段、係止部材）１００が閉じられている時、上部基枠５の左板１６に形成された切り欠き２１に挿入される。すなわち、バネ（第１の弾性部材）８５の弾性に抗してスライド部材６０が前記嵌合凹部８１に基板４０のカバー部材４５が嵌合する程度まで前方に摺動させられたとき、スライド部材６０の係合凹部６９は前記切り欠き２１と一致しているので、係合爪１０５は係合凹部６９とも係合し、スライド部材６０を後方に付勢された状態で保持する。
【００４８】
カバー部材（係合手段、係止部材）１００は、前部略中央に係止爪１０９が設けられている。図３，４に示すように、カバー部材（係合手段、係止部材）１００は、前記バネ（第２の弾性部材）１０３によって、係合爪１０５，１０６の反係合方向（時計回転方向）に付勢された状態で、係止爪１０９が係止手段（解除部材）１１０に係止されることよって係止されている。係止手段（解除部材）１１０は、玩具本体２の前方内部に、前後方向に摺動自在に設けられている。
【００４９】
係止手段（解除部材）１１０は、略Ｌ字状のスライド杆１１２と、扁平なスライド板１１６と、スライド杆１１２の前部とスライド板１１６の後部を一体に連結する取付軸１１７とからなる。スライド杆１１２には、玩具本体２の略中央から突出し、前記係止爪１０９を係止する矩形状の係止凹部（係止部）１１１が形成されている。スライド板１１６には、玩具本体２の前部両側から突出する突出片（突出部）１１５，１１５が形成されている。取付軸１１７は、玩具本体２に形成された前後方向に延びる案内溝１２０に案内され、係止手段（解除部材）１１０の前後方向への移動を案内している。
【００５０】
また、スライド板１１６は、玩具本体２内に設けられたバネ部材（第３の弾性部材）１２１によって前方に付勢されている。そのため、係止手段（解除部材）１１０の係止凹部（係止部）１１１は、カバー部材（係合手段、係止部材）１００が前記バネ（第２の弾性部材）１０３の弾性に抗して閉じられている時の係止爪１０９を係止する方向に付勢され、係止手段（解除部材）１１０がバネ部材（第３の弾性部材）１２１に抗して後方（反係止方向）に移動すると、係止爪１０９の係止を解除する。
【００５１】
駆動玩具１は、上記構成を有し、始動キー（起動部材）９０を基板４０の案内部４８に挿入すると、始動キー（起動部材）９０の左端縁９３が基板４０の左側壁５１に案内され、右端縁９５が右側壁５５に案内されて、左右方向が規制され、嵌合凸部９２の前部９６がスライド部材６０の嵌合凹部８２に嵌合し、嵌合凸部９２の前端縁９７が嵌合凹部８２の底縁８７に当接するまで押し込むことができる。
【００５２】
図４に示すように、始動キー（起動部材）９０が押し込められると、押圧突起９１がカバー部材４５内に進入し、スイッチ３０の可撓接触端子３１を押圧して、固定接触端子３２に接触させ、スイッチ３０をオンにする。スイッチ３０がオンになると、駆動モータ８が回転し、歯車機構９を介して前駆動軸６ａ及び一対の前輪（駆動輪）６，６と、後駆動軸７ａ及び一対の後輪（駆動輪）７，７を駆動し、走行を開始する。駆動玩具１は、始動
キー（起動部材）９０を基板４０から引き抜くと、スイッチ３０の可撓接触端子３１の押圧が解除されて、可撓接触端子３１が固定接触端子３２から離れ、スイッチ３０がオフになる。
【００５３】
駆動玩具１は、始動キー（起動部材）９０の嵌合凸部９２がスライド部材６０の嵌合凹部８２に嵌合し、嵌合凸部９２の前端縁９７が嵌合凹部８２の底縁８７に当接するまで始動キー（起動部材）９０を押し込むことができなければ、スイッチ３０をオンにすることができない。即ち、嵌合凸部９２の形状と嵌合凹部８２の形状が合致しない場合には、嵌合凸部９２の前端縁９７が嵌合凹部８２の底縁８７に当接するまで始動キー（起動部材）９０を押し込むことができないので、始動キー（起動部材）９０の押圧突起９１がスイッチ３０の可撓接触端子３１にまで届くことがなく、スイッチ３０をオフのままである。このように、スライド部材６０の嵌合凹部８２に嵌合しない嵌合凸部９２を有する始動キー（起動部材）９０では、駆動玩具１を駆動することができない。
【００５４】
なお、上記実施の形態では、スライド部材６０に嵌合凹部８２を形成し、始動キー（起動部材）９０に嵌合凸部９２を形成したが、スライド部材６０に嵌合凸部を形成し、始動キー（起動部材）９０に嵌合凹部を形成しても構わない。また、基板４０の案内部４８に複数の突起を形成し、この突起を避けられる形状の始動キーがスイッチ３０をオンできるようにしても構わない。
【００５５】
上記実施の形態は、既にスライド部材６０が、バネ（第１の弾性部材）８５の弾性に抗して前方に押し込まれ、右側の係合凹部７９にカバー部材（係合手段、係止部材）１００の右側の係合爪１０６が係合し、左側の係合凹部６９にカバー部材（係合手段、係止部材）１００の左側の係合爪１０５が係合して、後方に付勢され、カバー部材（係合手段、係止部材）１００に保持されている状態の時に、始動キー（起動部材）９０を挿入する場合について説明した。
【００５６】
次に、スライド部材６０が、バネ（第１の弾性部材）８５の弾性に抗して前方に押し込まれておらず、カバー部材（係合手段、係止部材）１００に係合していない状態の時に、始動キー（起動部材）９０を挿入する場合について説明する。係る場合は、スライド部材６０がコイル状のバネ（第１の弾性部材）８５によって後方に付勢され、左摺動部材６３の後案内突起６８が基板４０の左ストッパー片５３に当接し、右摺動部材７３の後案内突起７８が基板４０の右ストッパー片５７に当接している状態の時である。
【００５７】
駆動玩具１は、始動キー（起動部材）９０を基板４０の案内部４８に挿入すると、嵌合凸部９２の前部９６がスライド部材６０の嵌合凹部８２に嵌合し、嵌合凸部９２の前端縁９７が嵌合凹部８２の底縁８７に当接する。さらに、始動キー（起動部材）９０を押し込むと、この始動キー（起動部材）９０によって、スライド部材６０が、バネ（第１の弾性部材）８５の弾性に抗して押し込まれ、右側の係合凹部７９がカバー部材（係合手段、係止部材）１００の右側の係合爪１０６に係合し、左側の係合凹部６９がカバー部材（係合手段、係止部材）１００の左側の係合爪１０５に係合する。このようにして、始動キー（起動部材）９０を押し込むと、スライド部材６０も同時に移動して、カバー部材（係合手段、係止部材）１００に保持され、始動キー（起動部材）９０の押圧突起９１がカバー部材４５内に進入しスイッチ３０の可撓接触端子３１を押圧することができる。始動キー（起動部材）９０の嵌合凸部９２がスライド部材６０の嵌合凹部８２に嵌合せず、嵌合凸部９２の前端縁９７が嵌合凹部８２の底縁８７に当接できない場合には、スライド部材６０の係合凹部６９，７９がカバー部材（係合手段、係止部材）１００の係合爪１０５，１０６に係合するまで移動してカバー部材（係合手段、係止部材）１００に保持されたとしても、始動キー（起動部材）９０の押圧突起９１がスイッチ３０の可撓接触端子３１を押圧することはない。
【００５８】
上記駆動玩具１は、複数用意して戦闘させることができる。例えば、図６に示すように、遊戯盤１３０を使用して、遊戯盤１３０上において、互いにぶつかり合いの遊戯をさせることが可能である。遊戯盤１３０は、遊戯面１３１と、遊戯面１３１を囲む周壁１３２と、遊戯面１３１に移動させる一対の傾斜路１３３，１３３とで構成されている。一対の傾斜路１３３，１３３に配置された駆動玩具１ａ，１ｂに、前記したように、それぞれに適合した始動キー（起動部材）９０ａ，９０ｂを差し込むことによって、駆動玩具１ａ，１ｂの駆動モータ８が駆動して走行を開始し、遊戯面１３１上を駆動玩具１ａ，１ｂが走行する。なお、駆動玩具１ａは、始動キー（起動部材）９０ｂで駆動することができず、同様に駆動玩具１ｂは、始動キー（起動部材）９０ａで駆動することができない。
【００５９】
一方の駆動玩具１ｂの一側が、他方の駆動玩具１ａの玩具本体２の前部両側から突出する突出片（突出部）１１５，１１５に当接すると、バネ部材（第３の弾性部材）１２１の弾性に抗してスライド板１１６、取付軸１１７、スライド杆１１２が後方に移動し、即ち係止手段（解除部材）１１０が係止解除方向に移動し、カバー部材（係合手段、係止部材）１００の係止爪１０９が係止凹部（係止部）１１１から外れることになる。カバー部材（係合手段、係止部材）１００は、バネ（第２の弾性部材）１０３の弾性により、時計回転方向即ち係合解除方向に回動し、係合爪１０５，１０６がスライド部材６０の係合凹部６９，７９から外れることになる。
【００６０】
スライド部材６０は、バネ（第１の弾性部材）８５の弾性により、左摺動部材６３の後案内突起６８が基板４０の左ストッパー片５３に当接し、右摺動部材７３の後案内突起７８が基板４０の右ストッパー片５７に当接するまで、勢いよく後方にスライドし、始動キー（起動部材）９０ａを基板４０から強制的に引き抜いて又は射出して、玩具本体１ａから始動キー（起動部材）９０ａを離脱させる。始動キー（起動部材）９０ａが引き抜かれると又は射出されると、スイッチ３０がオフとなり、他方の駆動玩具１ａの駆動が停止する。このように、駆動玩具１は、互いに戦闘させることができる。
【００６１】
上記実施の形態では、駆動玩具１を走行玩具形状にし、駆動部を前輪（駆動輪）６，６及び後輪（駆動輪）７，７としたが、駆動玩具をロボット玩具形状とし、駆動部を一対の駆動脚としても構わない。
【図面の簡単な説明】
【００６２】
【図１】本願発明に係る駆動玩具の一つの実施の形態を示す全体斜視図である。
【図２】図１の駆動玩具の動きを説明する斜視図である。
【図３】図１の駆動玩具のカバー体を外した斜視図である。
【図４】玩具本体に始動キーを差し込んだ状態を示す斜視図である。
【図５】駆動玩具の要部分解斜視図である。
【図６】図１の駆動玩具の使用状態を説明する斜視図である。
【符号の説明】
【００６３】
１  駆動玩具
１ａ  駆動玩具
１ｂ  駆動玩具
２  玩具本体
３  下部基枠
５  上部基枠
６  前輪（駆動部  駆動輪）
６ａ  前駆動軸
７  後輪（駆動部  駆動輪）
７ａ  後駆動軸
８  駆動モータ
９  歯車機構
１０  収納箱
１１  底板
１２  前板
１３  後板
１３ａ  上縁
１５  右板
１６  左板
１７  右折曲縁
１７ａ  底面
１７ｂ  切り欠き
１９  左折曲縁
１９ａ  底面
１９ｂ  切り欠き
２０  切り欠き
２１  切り欠き
２２  仕切板
２３  右収納室
２５  左収納室
２６  突片
２６ａ  上縁
３０  スイッチ（駆動スイッチ）
３１  可撓接触端子
３２  固定接触端子
３５  係止孔
３６  係止爪
４０  基板
４０ａ  前部切り欠き
４１  係止突起
４２  係止穴
４３  突起
４５  カバー部材
４６  左側板
４７  右側板
４８  案内部
４９  ガイド板
５１  左側壁
５２  左ガイド壁
５３  左ストッパー片
５４  左切り欠き
５５  右側壁
５６  右ガイド壁
５７  右ストッパー片
５８  右切り欠き
５９  バネ受け突起
６０  スライド部材（射出手段）
６１  摺動板
６２  左側壁
６３  左摺動部材
６５  第１の案内板
６６  第２の案内板
６７  前案内突起
６８  後案内突起
６９  係合凹部
７２  右側壁
７３  右摺動部材
７５  第１の案内板
７６  第２の案内板
７７  前案内突起
７８  後案内突起
７９  係合凹部
８１  嵌合凹部
８２  嵌合凹部（嵌合部）
８３  バネ受け部材
８５  バネ（第１の弾性部材  射出手段）
８７  底縁
９０  始動キー（起動部材）
９０ａ  始動キー（起動部材）
９０ｂ  始動キー（起動部材）
９１  押圧突起
９２  嵌合凸部
９３  左端縁
９５  右端縁
９６  前部
９７  前端縁
１００  カバー部材（係合手段、係止部材）
１０１  連結アーム
１０２  支軸
１０３  バネ（第２の弾性部材）
１０５  係合爪
１０６  係合爪
１０９  係止爪
１１０  係止手段（解除部材）
１１１  係止凹部（係止部）
１１２  スライド杆
１１５  突出片（突出部）
１１６  スライド板
１１７  取付軸
１２０  案内溝
１２１  バネ部材（第３の弾性部材）
１３０  遊戯盤
１３１  遊戯面
１３２  周壁
１３３  傾斜路
【図１】
2005278704.tif 000003
【図２】
2005278704.tif 000004
【図３】
2005278704.tif 000005
【図４】
2005278704.tif 000006
【図５】
2005278704.tif 000007
【図６】
2005278704.tif 000008